(57)【要約】【課題】作業者（術者）の目視では気付きにくい部分容量計量チャンバの装着ミスを血液浄化装置で自動的に特定して発見すること。【解決手段】<1>第1バツブPV1を閉じて、第1ポンプPM1を回転させて、第1回路L１の第1バルブPV1と第1ポンプPM1の間と、第1計量チャンバMC1に圧力をけるステップ、<2>第１計量チャンバMC1の圧力センサPS1が反応して陽圧または陰圧を検出し、第1バルブPV1を開放するステップ、<3>第1計量チャンバMC1の第1圧力センサPS1が反応して、圧力の低下または増加を検出した場合は、第1計量チャンバMC1が正しい位置に装着されていることを確認するステップ、または第1圧力センサPS1以外の第2圧力センサPS2または第3圧力センサPS3が反応した場合は、第1計量チャンバMC1の装着ミスであることを確認するステップ、以上の<1>から<3>のステップを含む血液浄化装置の部分容量計量チャンバの装着ミスの確認方法。【選択図】図１
2018094051.tif 000002
【特許請求の範囲】
【請求項１】
血液回路内に血液処理器（ｂｔｒ）を配置し、当該血液回路に少なくとも透析液供給源（ＤＬＳ）と補液供給源（ＦＲＳ）、または二個の補液供給源（ＦＲＳ）を接続し、
少なくとも第１回路（Ｌ１）、第２回路（Ｌ２）及び第３回路（Ｌ３）を有し、
第１、第２及び第３回路（Ｌ１、Ｌ２、Ｌ３）のうち一つは血液回路であり、
その他の二つは透析液供給源（ＤＬＳ）と補液供給源（ＦＲＳ）に接続、または二つ補液供給源（ＦＲＳ）に接続し、
前記第１、第２及び第３回路（Ｌ１、Ｌ２、Ｌ３）の途中に、それぞれ第１、第２及び第３送液バルブ（ＰＶ１、ＰＶ２、ＰＶ３）と、第１、第２及び第３送液ポンプ（ＰＭ１、ＰＭ２、ＰＭ３）を設け、
当該第１、第２及び第３送液バルブ（ＰＶ１、ＰＶ２、ＰＶ３）と、当該第１、第２及び第３送液ポンプ（ＰＭ１、ＰＭ２、ＰＭ３）との間に、それぞれ第１、第２及び第３計量チャンバ（ＭＣ１、ＭＣ２、ＭＣ３）を設け、
当該第１、第２及び第３計量チャンバ（ＭＣ１、ＭＣ２、ＭＣ３）の一端部にそれぞれ第１、第２及び第３圧力センサ（ＰＳ１、ＰＳ２、ＰＳ３）を接続した血液浄化装置（１）において、
〈１〉第１バルブ（ＰＶ１）を閉じて、第１ポンプ（ＰＭ１）を回転させて、第１回路（Ｌ１）の第１バルブ（ＰＶ１）と第１ポンプ（ＰＭ１）の間と、第１計量チャンバ（ＭＣ１）に陽圧または陰圧をかけるステップ、
〈２〉第１計量チャンバ（ＭＣ１）の圧力センサ（ＰＳ１）が反応して陽圧または陰圧を検出し、第１バルブ（ＰＶ１を開放するステップ、
〈３〉第１計量チャンバ（ＭＣ１）の第１圧力センサ（ＰＳ１）が反応して、圧力の低下または増加を検出した場合は、第１計量チャンバ（ＭＣ１）が正しい位置に装着されていることを確認するステップ、または
第１圧力センサ（ＰＳ１）以外の第２圧力センサ（ＰＳ２）または第３圧力センサ（ＰＳ３）が反応した場合は、第１計量チャンバ（ＭＣ１）の装着ミスであることを確認するステップ、
以上の〈１〉から〈３〉のステップを含むことを特徴とする血液浄化装置（１）の部分容量計量チャンバの装着ミスの確認方法。
【請求項２】
請求項１に記載の血液浄化装置（１）において、
〈１〉第２バルブ（ＰＶ２）を閉じて、第２ポンプ（ＰＭ２）を回転させて、第２回路（Ｌ２）の第２バルブ（ＰＶ２）と第２ポンプ（ＰＭ２）の間と、第２チャンバ（ＭＣ２）に陽圧または陰圧をかけるステップ、
〈２〉第２計量チャンバ（ＭＣ２）の圧力センサ（ＰＳ２）が反応して陽圧または陰圧を検出し、第２バルブ（ＰＶ２）を開放するステップ、
〈３〉第２計量チャンバ（ＭＣ２）の第２圧力センサ（ＰＳ２）が反応して、圧力の低下または増加を検出した場合は、第２計量チャンバ（ＭＣ２）が正しい位置に装着されていることを確認するステップ、または
第２圧力センサ（ＰＳ２）以外の第１圧力センサ（ＰＳ１）または第３圧力センサ（ＰＳ３）が反応した場合は、第２計量チャンバ（ＭＣ２）の装着ミスであることを確認するステップ、
以上の〈１〉から〈３〉のステップを含むことを特徴とする血液浄化装置（１）の部分容量計量チャンバの装着ミスの確認方法。
【請求項３】
請求項１に記載の血液浄化装置（１）において、
〈１〉第３バルブ（ＰＶ３）を閉じて、第３ポンプ（ＰＭ３）を回転させて、第３回路（Ｌ３）の第３バルブ（ＰＶ３）と第３ポンプ（ＰＭ３）の間と、第３計量チャンバ（ＭＣ３）に陽圧または陰圧をかけるステップ、
〈２〉第３計量チャンバ（ＭＣ３）の圧力センサ（ＰＳ３）が反応して陽圧または陰圧を検出し、第３バルブ（ＰＶ３）を開放するステップ、
〈３〉第３計量チャンバ（ＭＣ３）の第３圧力センサ（ＰＳ３）が反応して、圧力の低下または増加を検出した場合は、第３計量チャンバ（ＭＣ３）が正しい位置に装着されていることを確認するステップ、または
第３圧力センサ（ＰＳ３）以外の第１圧力センサ（ＰＳ１）または第２圧力センサ（ＰＳ２）が反応した場合は、第３計量チャンバ（ＭＣ３）の装着ミスであることを確認するステップ、
以上の〈１〉から〈３〉のステップを含むことを特徴とする血液浄化装置（１）の部分容量計量チャンバの装着ミスの確認方法。
【請求項４】
請求項１から請求項３のいずれか１項に記載の血液浄化装置（１）において、
第１、第２及び第３回路（Ｌ１、Ｌ２、Ｌ３）は、補液導入回路（Ｌｆｒｉ）、透析液導入回路（Ｌｄｉ）及びろ液送出回路（Ｌｆｏ）、または
二つの補液導入回路（Ｌｆｒｉ）とろ液送出回路（Ｌｆｏ）、または
二つの補液導入回路（Ｌｆｒｉ）と透析液導入回路（Ｌｄｉ）のコンビネーション、
第１、第２及び第３送液ポンプ（ＰＭ１、ＰＭ２、ＰＭ３）は、補液導入ポンプ（ＰＭｆｒｉ）、透析液導入ポンプ（ＰＭｄｉ）及びろ液送出ポンプ（ＰＭｆｏ）、または
二つの補液導入ポンプ（ＰＭｆｒｉ）とろ液送出ポンプ（ＰＭｆｏ）、または
二つの補液導入ポンプＰＭｆｒｉと透析液導入ポンプＰＭｄｉのコンビネーション、
第１、第２及び第３圧力センサ（ＰＳ１、ＰＳ２、ＰＳ３）は、補液圧力センサ（ＰＳｆｒｉ）、透析液圧力センサ（ＰＳｄｉ）及びろ過圧圧力センサ（ＰＳｆ）、または
二つの補液圧力センサ（ＰＳｆｒｉ）とろ過圧圧力センサ（ＰＳｆ）、または
二つの補液圧力センサ（ＰＳｆｒｉ）と透析液圧力センサ（ＰＳｄｉ）のコンビネーション、
第１、第２及び第３計量チャンバ（ＭＣ１、ＭＣ２、ＭＣ３）は、補液計量チャンバ（ＭＣｆｒｉ）、透析液計量チャンバ（ＭＣｄｉ）及びろ液計量チャンバ（ＭＣｆｏ）、または二つの補液計量チャンバ（ＭＣｆｒｉ）とろ液計量チャンバ（ＭＣｆｏ）、または二つの補液計量チャンバ（ＭＣｆｒｉ）と透析液計量チャンバ（ＭＣｄｉ）のコンビネーションである、
ことを特徴とする請求項１から請求項３のいずれか１項に記載の血液浄化装置（１０１）の部分容量計量チャンバの接続ミスの確認方法。
【請求項５】
血液体外循環回路内に血液を浄化する血液処理器（ｂｔｒ）を設け、
前記血液処理器（ｂｔｒ）に透析液を導入する透析液導入回路（Ｌｄｉ）と、当該透析液導入回路（Ｌｄｉ）の途中に透析液導入ポンプ（ＰＭｄｉ）と透析液導入バルブ（ＰＶｄｉ）を設け、
当該透析液導入ポンプ（ＰＭｄｉ）と透析液導入バルブ（ＰＶｄｉ）との間に、透析液計量チャンバ（ＭＣｄｉ）を設け、当該透析液計量チャンバ（ＭＣｄｉ）に透析液圧力センサ（ＰＳｄｉ）を接続し、
前記血液体外循環回路内に補液を導入する少なくとも一個以上の補液導入回路（Ｌｆｒ）と、当該補液補液導入回路（Ｌｆｒ）の途中に補液導入ポンプ（ＰＭｆｒｉ）と補液導入バルブ（ＰＶｆｒi）を設け、当該補液導入ポンプ（ＰＭｆｒｉ）と補液導入バルブ（ＰＶｆｒi）との間に、
補液計量チャンバ（ＭＣｆｒｉ）を設け、当該補液計量チャンバ（ＭＣｆｒｉ）に補液圧力センサ（ＰＳｆｒｉ）を接続し、
前記血液処理器（ｂｔｒ）で血液浄化を行った後のろ液排出回路（Ｌｆｏ）と当該ろ液排出回路（Ｌｆｏ）の途中にろ液送出ポンプ（ＰＭｆｏ）とろ液送出バルブ（ＰＶｆｏ）を設け、
当該ろ液送出用のポンプ（ＰＭｆｏ）とろ液送出バルブ（ＰＶｆｏ）の途中に、ろ液計量チャンバ（ＭＣｆｏ）を設け、当該ろ液計量チャンバ（ＭＣｆｏ）にろ液圧力センサ（ＰＳｆｏ）を接続した血液浄化装置（１０１）において、
〈１〉補液導入バルブ（ＰＶｆｒｉ）を閉じて、補液導入ポンプ（Ｐｆｒｉ）を回転させて、補液導入回路（Ｌｆｒｉ）の補液導入バルブ（ＰＶｆｒｉ）と補液導入ポンプ（Ｐｆｒｉ）の間、及び補液計量チャンバ（ＭＣｆｒｉ）に陽圧または陰圧をかけるステップ、
〈２〉補液圧力センサ（ＰＳｆｒｉ）が反応して陽圧または陰圧を検出し、補液導入バルブ（ＰＶｆｒｉ）を開放するステップ、
〈３〉補液圧力センサ（ＰＳｆｒｉ）が反応して、圧力の低下または増加を検出した場合は、補液計量チャンバ（ＭＣｆｒｉ）が正しい位置に装着されていることを確認するステップ、または
補液圧力センサ（ＰＳｆｒｉ）以外の透析液圧力センサ（ＰＳｄｉ）またはろ液圧力センサ（ＰＳｆｏ）が反応した場合は、補液計量チャンバ（ＭＣｆｒｉ）の装着ミスであることを確認するステップ、
以上の〈１〉から〈３〉のステップを含むことを特徴とする血液浄化装置（１０１）の部分容量計量チャンバの装着ミスの確認方法。
【請求項６】
請求項５に記載の血液体外循環回路（１０１）において、
〈１〉ろ液送出バルブ（ＰＶｆｏ）を閉じて、ろ液送出ポンプ（ＰＭｆｏ）を回転させて、ろ液送出回路（Ｌｆｒｉ）のろ液送出バルブ（ＰＶｆｏ）とろ液送出ポンプ（ＰＭｆｏ）の間、及びろ液計量チャンバ（ＭＣｆｏ）に陽圧または陰圧をかけるステップ、
〈２〉ろ液圧力センサ（ＰＳｆｏ）が反応して陽圧または陰圧を検出し、ろ液送出バルブ（ＰＶｆｏ）を開放するステップ、
〈３〉ろ液圧力センサ（ＰＳｆｏ）が反応して、圧力の低下または増加を検出した場合は、ろ液計量チャンバ（ＭＣｆｏ）が正しい位置に装着されていることを確認するステップ、または
ろ液圧力センサ（ＰＳｆｏ）以外の透析液圧力センサ（ＰＳｄｉ）または補液圧力センサ（ＰＳｆｒｉ）が反応した場合は、ろ液計量チャンバ（ＭＣｆｏ）の装着ミスであることを確認するステップ、
以上の〈１〉から〈３〉のステップを含むことを特徴とする血液浄化装置（１０１）の部分容量計量チャンバの装着ミスの確認方法。
【請求項７】
請求項５に記載の血液体外循環回路（１０１）において、
〈１〉透析液導入バルブ（ＰＶｄｉ）を閉じて、透析液導入ポンプ（Ｐｄｉ）を回転させて、透析液導入回路（Ｌｄｉ）の透析液導入バルブ（ＰＶｄｉ）と透析液導入ポンプ（ＰＭｄｉ）の間、及び透析液計量チャンバ（ＭＣｄｉ）に陽圧または陰圧をかけるステップ、
〈２〉透析液圧力センサ（ＰＳｄｉ）が反応して陽圧または陰圧を検出し、透析液導入バルブ（ＰＶｄｉ）を開放するステップ、
〈３〉透析液圧力センサ（ＰＳｄｉ）が反応して、圧力の低下または増加を検出した場合は、透析液計量チャンバ（ＭＣｄｉ）が正しい位置に装着されていることを確認するステップ、または
透析液圧力センサ（ＰＳｄｉ）以外の補液圧力センサ（ＰＳｄｉ）またはろ液圧力センサ（ＰＳｆｏ）が反応した場合は、透析液計量チャンバ（ＭＣｄｉ）の装着ミスであることを確認するステップ、
以上の〈１〉から〈３〉のステップを含むことを特徴とする血液浄化装置（１０１）の部分容量計量チャンバの装着ミスの確認方法。
【発明の詳細な説明】
【技術分野】
【０００１】
本発明は、血液浄化装置の各回路に接続した部分容量計量チャンバ（単に「計量チャンバ」と略記する場合がある）に装着ミスがあった際に、装着ミスの部位を特定する方法に関する。
本発明は、部分容量計量チャンバを使用する血液浄化装置で、
持続的血液浄化法（ＣＨＤＦ／透析液回路、１つ以上の補液回路、ろ液送出回路を使用）、二重ろ過型血漿交換法（ＤＦ／１つ以上の補液回路、ろ液送出回路を使用）、単純血漿交換法（ＰＥ／１つ以上の補液回路、ろ液送出回路を使用）に使用する血液浄化装置の部分容量計量チャンバの装着ミスの特定方法に関する。
以下血液浄化装置の包括的な血液浄化装置の部分容量計量チャンバの接続ミスの特定方法、持続的血液浄化法（ＣＨＤＦ）に利用できる血液浄化装置の部分容量計量チャンバの接続ミスの特定方法の例について説明する。
【背景技術】
【０００２】
例えば特許文献１には、部分容量計量チャンバを装着した持続的血液浄化用装置の発明を開示している。
特許文献１の血液浄化用装置は、静（動）脈−静脈間の血液（体外循環）回路内に血液処理器（血液浄化器、血液透析ろ過器）を配するようにし、血液透析と血液ろ過を同時に並行して行える機能を備え、装置内に透析液タンクより透析液を前記血液処理器に導く回路とその回路内に透析液を移送する透析ポンプとを具備している。
さらに血液ろ過後に体液を補充するための補液タンクより前記血液（体外循環）回路の一部に補液を導入する回路とその回路内に補液を移送する補液ポンプとを具備し、血液浄化（透析およびろ過）を行った廃液（排液と記載する場合がある）を排出するための回路とその回路内に廃液ポンプの３種のポンプを具備している。
当該各ポンプはそれぞれ独立に機能し、透析液流量、補液流量、廃液流量を個別に独立して間欠的に実測する容積計量手段、いわゆる「部分容量計量チャンバ」を備え、得られた実測値と設定値が合致するように対応する各ポンプの回転数を調節できるようにしている。
【０００３】
特許文献１に記載の部分容量計量チャンバは、時間当たりの送液量を正確に計量するための計量チャンバである。
これらの部分容量計量チャンバは、送液ポンプ、送液バルブ（ピンチバルブともいう）、エアバルブを使用し、これらに適切な血液体外循環回路（血液回路と記載する場合がある）を接続する必要がある。
さらに血液浄化装置はろ液、透析液、補液、それぞれに部分容量計量チャンバが必要であり、その分、送液ポンプ、送液バルブ、エアバルブの数も増加し複雑化した構成となる。このため装着先が入れ替わる等の装着ミスが起こっていた。
【先行技術文献】
【特許文献】
【０００４】
【特許文献１】特開平８−１９１８８９号公報（特許請求の範囲、図１）
【発明の概要】
【発明が解決しようとする課題】
【０００５】
従来は、部分容量計量チャンバの装着ミスを自動で検出できる装置が存在しないので、安全性が低下するだけでなく、異常予防のための装着ミスチエックや、異常時の装着ミス部分の発見にユーザーの労力と時間が割かれてしまうことが問題となっていた。
【課題を解決するための手段】
【０００６】
そこで本発明者は、以上の課題を解決するために鋭意検討を重ねた結果、以下の発明に到達した。
［１］本発明は、血液回路内に血液処理器（ｂｔｒ）を配置し、当該血液回路に少なくとも透析液供給源（ＤＬＳ）と補液供給源（ＦＲＳ）、または二個の補液供給源（ＦＲＳ）を接続し、
少なくとも第１回路（Ｌ１）、第２回路（Ｌ２）及び第３回路（Ｌ３）を有し、
第１、第２及び第３回路（Ｌ１、Ｌ２、Ｌ３）のうち一つは血液回路であり、
その他の二つは透析液供給源（ＤＬＳ）と補液供給源（ＦＲＳ）に接続、または二つ補液供給源（ＦＲＳ）に接続し、
前記第１、第２及び第３回路（Ｌ１、Ｌ２、Ｌ３）の途中に、それぞれ第１、第２及び第３送液バルブ（ＰＶ１、ＰＶ２、ＰＶ３）と、第１、第２及び第３送液ポンプ（ＰＭ１、ＰＭ２、ＰＭ３）を設け、
当該第１、第２及び第３送液バルブ（ＰＶ１、ＰＶ２、ＰＶ３）と、当該第１、第２及び第３送液ポンプ（ＰＭ１、ＰＭ２、ＰＭ３）との間に、それぞれ第１、第２及び第３計量チャンバ（ＭＣ１、ＭＣ２、ＭＣ３）を設け、
当該第１、第２及び第３計量チャンバ（ＭＣ１、ＭＣ２、ＭＣ３）の一端部にそれぞれ第１、第２及び第３圧力センサ（ＰＳ１、ＰＳ２、ＰＳ３）を接続した血液浄化装置（１）において、
〈１〉第１バルブ（ＰＶ１）を閉じて、第１ポンプ（ＰＭ１）を回転させて、第１回路（Ｌ１）の第１バルブ（ＰＶ１）と第１ポンプ（ＰＭ１）の間と、第１計量チャンバ（ＭＣ１）に陽圧または陰圧をかけるステップ、
〈２〉第１計量チャンバ（ＭＣ１）の圧力センサ（ＰＳ１）が反応して陽圧または陰圧を検出し、第１バルブ（ＰＶ１を開放するステップ、
〈３〉第１計量チャンバ（ＭＣ１）の第１圧力センサ（ＰＳ１）が反応して、圧力の低下または増加を検出した場合は、第１計量チャンバ（ＭＣ１）が正しい位置に装着されていることを確認するステップ、または
第１圧力センサ（ＰＳ１）以外の第２圧力センサ（ＰＳ２）または第３圧力センサ（ＰＳ３）が反応した場合は、第１計量チャンバ（ＭＣ１）の装着ミスであることを確認するステップ、
以上の〈１〉から〈３〉のステップを含む血液浄化装置（１）の部分容量計量チャンバの装着ミスの確認方法を提供する。
［２］本発明は［１］に記載の血液浄化装置（１）において、
〈１〉第２バルブ（ＰＶ２）を閉じて、第２ポンプ（ＰＭ２）を回転させて、第２回路（Ｌ２）の第２バルブ（ＰＶ２）と第２ポンプ（ＰＭ２）の間と、第２チャンバ（ＭＣ２）に陽圧または陰圧をかけるステップ、
〈２〉第２計量チャンバ（ＭＣ２）の圧力センサ（ＰＳ２）が反応して陽圧または陰圧を検出し、第２バルブ（ＰＶ２）を開放するステップ、
〈３〉第２計量チャンバ（ＭＣ２）の第２圧力センサ（ＰＳ２）が反応して、圧力の低下または増加を検出した場合は、第２計量チャンバ（ＭＣ２）が正しい位置に装着されていることを確認するステップ、または
第２圧力センサ（ＰＳ２）以外の第１圧力センサ（ＰＳ１）または第３圧力センサ（ＰＳ３）が反応した場合は、第２計量チャンバ（ＭＣ２）の装着ミスであることを確認するステップ、
以上の〈１〉から〈３〉のステップを含む血液浄化装置（１）の部分容量計量チャンバの装着ミスの確認方法を提供する。
【０００７】
［３］本発明は、［１］に記載の血液浄化装置（１）において、
〈１〉第３バルブ（ＰＶ３）を閉じて、第３ポンプ（ＰＭ３）を回転させて、第３回路（Ｌ３）の第３バルブ（ＰＶ３）と第３ポンプ（ＰＭ３）の間と、第３計量チャンバ（ＭＣ３）に陽圧または陰圧をかけるステップ、
〈２〉第３計量チャンバ（ＭＣ３）の圧力センサ（ＰＳ３）が反応して陽圧または陰圧を検出し、第３バルブ（ＰＶ３）を開放するステップ、
〈３〉第３計量チャンバ（ＭＣ３）の第３圧力センサ（ＰＳ３）が反応して、圧力の低下または増加を検出した場合は、第３計量チャンバ（ＭＣ３）が正しい位置に装着されていることを確認するステップ、または
第３圧力センサ（ＰＳ３）以外の第１圧力センサ（ＰＳ１）または第２圧力センサ（ＰＳ２）が反応した場合は、第３計量チャンバ（ＭＣ３）の装着ミスであることを確認するステップ、
以上の〈１〉から〈３〉のステップを含む血液浄化装置（１）の部分容量計量チャンバの装着ミスの確認方法を提供する。
［４］本発明は、［１］から［３］のいずれか１項に記載の血液浄化装置（１）において、
第１、第２及び第３回路（Ｌ１、Ｌ２、Ｌ３）は、補液導入回路（Ｌｆｒｉ）、透析液導入回路（Ｌｄｉ）及びろ液送出回路（Ｌｆｏ）、または
二つの補液導入回路（Ｌｆｒｉ）とろ液送出回路（Ｌｆｏ）、または
二つの補液導入回路（Ｌｆｒｉ）と透析液導入回路（Ｌｄｉ）のコンビネーション、
第１、第２及び第３送液ポンプ（ＰＭ１、ＰＭ２、ＰＭ３）は、補液導入ポンプ（ＰＭｆｒｉ）、透析液導入ポンプ（ＰＭｄｉ）及びろ液送出ポンプ（ＰＭｆｏ）、または
二つの補液導入ポンプ（ＰＭｆｒｉ）とろ液送出ポンプ（ＰＭｆｏ）、または
二つの補液導入ポンプＰＭｆｒｉと透析液導入ポンプＰＭｄｉのコンビネーション、
第１、第２及び第３圧力センサ（ＰＳ１、ＰＳ２、ＰＳ３）は、補液圧力センサ（ＰＳｆｒｉ）、透析液圧力センサ（ＰＳｄｉ）及びろ過圧圧力センサ（ＰＳｆ）、または
二つの補液圧力センサ（ＰＳｆｒｉ）とろ過圧圧力センサ（ＰＳｆ）、または
二つの補液圧力センサ（ＰＳｆｒｉ）と透析液圧力センサ（ＰＳｄｉ）のコンビネーション、
第１、第２及び第３計量チャンバ（ＭＣ１、ＭＣ２、ＭＣ３）は、補液計量チャンバ（ＭＣｆｒｉ）、透析液計量チャンバ（ＭＣｄｉ）及びろ液計量チャンバ（ＭＣｆｏ）、または二つの補液計量チャンバ（ＭＣｆｒｉ）とろ液計量チャンバ（ＭＣｆｏ）、または二つの補液計量チャンバ（ＭＣｆｒｉ）と透析液計量チャンバ（ＭＣｄｉ）のコンビネーションである、
［１］から［３］のいずれか１項に記載の血液浄化装置（１０１）の部分容量計量チャンバの接続ミスの確認方法を提供する。
【０００８】
［５］本発明は、血液体外循環回路内に血液を浄化する血液処理器（ｂｔｒ）を設け、
前記血液処理器（ｂｔｒ）に透析液を導入する透析液導入回路（Ｌｄｉ）と、当該透析液導入回路（Ｌｄｉ）の途中に透析液導入ポンプ（ＰＭｄｉ）と透析液導入バルブ（ＰＶｄｉ）を設け、
当該透析液導入ポンプ（ＰＭｄｉ）と透析液導入バルブ（ＰＶｄｉ）との間に、透析液計量チャンバ（ＭＣｄｉ）を設け、当該透析液計量チャンバ（ＭＣｄｉ）に透析液圧力センサ（ＰＳｄｉ）を接続し、
前記血液体外循環回路内に補液を導入する少なくとも一個以上の補液導入回路（Ｌｆｒ）と、当該補液補液導入回路（Ｌｆｒ）の途中に補液導入ポンプ（ＰＭｆｒｉ）と補液導入バルブ（ＰＶｆｒi）を設け、当該補液導入ポンプ（ＰＭｆｒｉ）と補液導入バルブ（ＰＶｆｒi）との間に、
補液計量チャンバ（ＭＣｆｒｉ）を設け、当該補液計量チャンバ（ＭＣｆｒｉ）に補液圧力センサ（ＰＳｆｒｉ）を接続し、
前記血液処理器（ｂｔｒ）で血液浄化を行った後のろ液排出回路（Ｌｆｏ）と当該ろ液排出回路（Ｌｆｏ）の途中にろ液送出ポンプ（ＰＭｆｏ）とろ液送出バルブ（ＰＶｆｏ）を設け、
当該ろ液送出用のポンプ（ＰＭｆｏ）とろ液送出バルブ（ＰＶｆｏ）の途中に、ろ液計量チャンバ（ＭＣｆｏ）を設け、当該ろ液計量チャンバ（ＭＣｆｏ）にろ液圧力センサ（ＰＳｆｏ）を接続した血液浄化装置（１０１）において、
〈１〉補液導入バルブ（ＰＶｆｒｉ）を閉じて、補液導入ポンプ（Ｐｆｒｉ）を回転させて、補液導入回路（Ｌｆｒｉ）の補液導入バルブ（ＰＶｆｒｉ）と補液導入ポンプ（Ｐｆｒｉ）の間、及び補液計量チャンバ（ＭＣｆｒｉ）に陽圧または陰圧をかけるステップ、
〈２〉補液圧力センサ（ＰＳｆｒｉ）が反応して陽圧または陰圧を検出し、補液導入バルブ（ＰＶｆｒｉ）を開放するステップ、
〈３〉補液圧力センサ（ＰＳｆｒｉ）が反応して、圧力の低下または増加を検出した場合は、補液計量チャンバ（ＭＣｆｒｉ）が正しい位置に装着されていることを確認するステップ、または
補液圧力センサ（ＰＳｆｒｉ）以外の透析液圧力センサ（ＰＳｄｉ）またはろ液圧力センサ（ＰＳｆｏ）が反応した場合は、補液計量チャンバ（ＭＣｆｒｉ）の装着ミスであることを確認するステップ、
以上の〈１〉から〈３〉のステップを含む血液浄化装置（１０１）の部分容量計量チャンバの装着ミスの確認方法を提供する。
［６］本発明は、［５］に記載の血液体外循環回路（１０１）において、
〈１〉ろ液送出バルブ（ＰＶｆｏ）を閉じて、ろ液送出ポンプ（ＰＭｆｏ）を回転させて、ろ液送出回路（Ｌｆｒｉ）のろ液送出バルブ（ＰＶｆｏ）とろ液送出ポンプ（ＰＭｆｏ）の間、及びろ液計量チャンバ（ＭＣｆｏ）に陽圧または陰圧をかけるステップ、
〈２〉ろ液圧力センサ（ＰＳｆｏ）が反応して陽圧または陰圧を検出し、ろ液送出バルブ（ＰＶｆｏ）を開放するステップ、
〈３〉ろ液圧力センサ（ＰＳｆｏ）が反応して、圧力の低下または増加を検出した場合は、ろ液計量チャンバ（ＭＣｆｏ）が正しい位置に装着されていることを確認するステップ、または
ろ液圧力センサ（ＰＳｆｏ）以外の透析液圧力センサ（ＰＳｄｉ）または補液圧力センサ（ＰＳｆｒｉ）が反応した場合は、ろ液計量チャンバ（ＭＣｆｏ）の装着ミスであることを確認するステップ、
以上の〈１〉から〈３〉のステップを含む血液浄化装置（１０１）の部分容量計量チャンバの装着ミスの確認方法を提供する。
［７］本発明は、［５］に記載の血液体外循環回路（１０１）において、
〈１〉透析液導入バルブ（ＰＶｄｉ）を閉じて、透析液導入ポンプ（Ｐｄｉ）を回転させて、透析液導入回路（Ｌｄｉ）の透析液導入バルブ（ＰＶｄｉ）と透析液導入ポンプ（ＰＭｄｉ）の間、及び透析液計量チャンバ（ＭＣｄｉ）に陽圧または陰圧をかけるステップ、
〈２〉透析液圧力センサ（ＰＳｄｉ）が反応して陽圧または陰圧を検出し、透析液導入バルブ（ＰＶｄｉ）を開放するステップ、
〈３〉透析液圧力センサ（ＰＳｄｉ）が反応して、圧力の低下または増加を検出した場合は、透析液計量チャンバ（ＭＣｄｉ）が正しい位置に装着されていることを確認するステップ、または
透析液圧力センサ（ＰＳｄｉ）以外の補液圧力センサ（ＰＳｄｉ）またはろ液圧力センサ（ＰＳｆｏ）が反応した場合は、透析液計量チャンバ（ＭＣｄｉ）の装着ミスであることを確認するステップ、
以上の〈１〉から〈３〉のステップを含む血液浄化装置（１０１）の部分容量計量チャンバの装着ミスの確認方法を提供する。
【発明の効果】
【０００９】
（１）血液浄化装置の各回路に接続した部分容量計量チャンバの装着ミスを血液浄化装置で自動的に特定することにより、作業者（術者）の目視では気付きにくい装着ミスを発見し、より安全に血液浄化を施行できる。
（２）従来の作業者（術者）が装着ミスの有無を確認する作業や、装置に異常が見られた際に装着ミスを探す作業等の労力が必要であったが、自動で特定することで省力化と
時間短縮が可能になる。
【図面の簡単な説明】
【００１０】
【図１】図１は本発明を実施する血液浄化装置を外側から見た配線図（概念図）である。
【図２】図２は本発明を実施する血液浄化装置［緩徐式血液ろ過透析装置に部分容量計量チャンバを設けて持続的血液浄化法（ＣＨＤＦ）に利用できるようにした実施例）を外側から見た配線図である。
【図３】図３は図２の要部拡大図である。
【発明を実施するための形態】
【００１１】
以下、図面を参照しながら本発明を詳細に説明する。
以下、本発明を実施する血液浄化装置を明確に説明するため、次の定義をおく。
Ｌは回路、Ｃはドリップチャンバ、ＭＣは計量チャンバ、ＰＶは送液バルブ、ＰＭは送液ポンプ、ＰＳは圧力センサ、Ｐは圧力、ＡＬはエアライン、Ｂ（またはｂ）は血液、Ｄ（またはｄ）は透析液、ｆはろ液、ＦＲ（またはｆｒ）は補液、ｗは排出液、I（またはｉ）は入口、導入、Ｏ（またはｏ）は出口、送出、導出を意味する。例えば血液導入回路はＬｂｉのように符号を付けた。
血液導入回路はＬｂｉに配置した送液ポンプＰＭは、血液導入ポンプＰＭｄｉの名称と符号を付けた。血液導入回路はＬｂｉに連通するエアラインＡＬは、ＡＬｂｉの符号を付けた。
【００１２】
回路Ｌとは第１、第２及び第３回路（Ｌ１、Ｌ２、Ｌ３）、血液導入回路Ｌｂｉ、返血回路Ｌｂｔｒ、ろ液送出回路Ｌｆｏ、透析液導入回路Ｌｄｉ、透析液導出回路、補液導入回路Ｌｆｒを含む。
血液導入回路Ｌｂｉ、返血液回路Ｌｂｔｒ、ろ液送出回路Ｌｆｏは、血液回路と略記する場合がある。
送液バルブＰＶとは、第１、第２及び第３送液バルブ（ＰＶ１、ＰＶ２、ＰＶ３）
血液導入バルブＰＶｂｉ、返血液バルブＰＶｂｔｒ、ろ液（血漿）送出バルブＰＶｆｏ、透析液導入バルブＰＶｄｉ、透析液導出バルブ、補液導入バルブＰＶｆｒｉ、洗浄液排出バルブＰＶｗｏの各バルブを含む。
【００１３】
送液ポンプＰとは、第１、第２及び第３送液ポンプ（Ｐ１、Ｐ２、Ｐ３）、血液導入ポンプＰＭｂｉ、ろ液（血漿）送出ポンプＰＭｆｏ、透析液導入ポンプＰＭｄｉ、透析液導出ポンプ、補液導入ポンプＰＭｆｒｉの各ポンプを含む。
圧力センサＰＳとは、第１、第２及び第３圧力センサ（ＰＳ１、ＰＳ２、ＰＳ３）
ろ過圧Ｐｆの圧力センサＰＳｆ、血液入口圧Ｐｂｉの圧力センサＰＳｂｉ、返血圧Ｐｂｔｒの圧力センサＰＳｂｔｒ、血漿入口圧Ｐｐiの圧力センサＰＳｐi、透析液計量チャンバの圧力Ｐｄｉの圧力センサＰＳｄｉ、補液計量チャンバの圧力Ｐｆｒｉの圧力センサＰＳｆｒｉ、ろ液計量チャンバの圧力Ｐｆｏの圧力センサＰＳｆｏの各圧力センサを含む。
計量チャンバＭＣとは、第１、第２及び第３計量チャンバ（ＭＣ１、ＭＣ２、ＭＣ３）、補液計量チャンバＭＣｆｒｉ、透析液計量チャンバＭＣｄｉ、ろ液の計量チャンバＭＣｆｏを含む。
単にチャンバとは血液ドリップチャンバＣｂｉ、返血チャンバＣｂｔｒ、ろ濾過チャンバを含む。
【００１４】
各圧力センサ（ＰＳ１、ＰＳ２、ＰＳ３、ＰＳｆ、ＰＳｂｉ、ＰＳｂｔｒ、ＰＳｐｉ）等の接続口は、第１から第３の圧力センサＰＳ１からＰＳ３、ろ過圧センサＰＳｆｏ、血液入口圧センサＰＳｂｉ、返血圧センサＰＳｂｔｒ  、血漿入口圧センサＰＳｐｉ等と同じ符号を使用し、その後ろに◎を付けた。
また本発明では、エアポンプＰＭＡを回転させるとは正回転または逆回転の両方を含み、例えば逆回転の場合は陰圧付与、正回転の場合は陽圧付与を意味する。
【００１５】
図１は本発明を実施する血液浄化装置１を外側から見た配線図（概念図）である。
血液浄化装置１は、ハウジング２（あえて図示せず）の外側に設けた血液回路内に血液処理器ｂｔｒを配置し、当該血液回路に少なくとも透析液供給源ＤＬＳと補液供給源ＦＲＳ、または二個の補液供給源ＦＲＳを接続している。
血液浄化装置は、少なくとも第１回路Ｌ１、第２回路Ｌ２及び第３回路Ｌ３を有し、第１、第２及び第３回路（Ｌ１、Ｌ２、Ｌ３）のうち一つは血液回路である。
その他の二つは透析液供給源ＤＬＳと補液供給源ＦＲＳに接続するかまたは二つは補液供給源ＦＲＳに接続している回路である。
前記第１、第２及び第３回路（Ｌ１、Ｌ２、Ｌ３）は途中に、それぞれ第１、第２及び第３送液バルブ（ＰＶ１、ＰＶ２、ＰＶ３）と、第１、第２及び第３送液ポンプ（ＰＭ１、ＰＭ２、ＰＭ３）を設けている。
当該第１、第２及び第３送液バルブ（ＰＶ１、ＰＶ２、ＰＶ３）と、当該第１、第２及び第３送液ポンプ（ＰＭ１、ＰＭ２、ＰＭ３）との間に、それぞれ第１、第２及び第３計量チャンバ（ＭＣ１、ＭＣ２、ＭＣ３）を設けている。
当該第１、第２及び第３計量チャンバ（ＭＣ１、ＭＣ２、ＭＣ３）の一端部にそれぞれ第１、第２及び第３圧力センサ（ＰＳ１、ＰＳ２、ＰＳ３）を接続している。
【００１６】
例えば第１計量チャンバＭＣ１の装着ミスの確認方法は、
〈１〉第１バルブＰＶ１を閉じて、第１ポンプＰＭ１を回転させて、第１回路１の第１バルブＰＶ１と第１ポンプＰＭ１の間と、第１計量チャンバＭＣ１に陽圧または陰圧をかけるステップ、
〈２〉第１計量チャンバＭＣ１の圧力センサＰＳ１が反応して陽圧または陰圧を検出すし、第１バルブＰＶ１を開放するステップ、
〈３〉第１計量チャンバＭＣ１の第１圧力センサＰＳ１が反応して、圧力の低下または増加を検出した場合は、第１計量チャンバＭＣ１が正しい位置に装着されていることを確認するステップ、または
第１圧力センサＰＳ１以外の第２圧力センサＰＳ２または第３圧力センサＰＳ３が反応した場合は、第１計量チャンバＭＣ１の装着ミスであることを確認するステップ、
以上の〈１〉から〈３〉を含むステップにより部分容量計量チャンバの装着ミスを確認することができる。
なお前記第１計量チャンバＭＣ１の装着ミスの意味について詳述すると、
例えば第１回路Ｌ１が第２送液バルブＰＶ２または第３送液バルブＰＶ３へ間違えて装着している場合。
また第１送液ポンプＰＭ１に装着されるはずの第１回路Ｌ１が、第２計量チャンバＭ２の圧力センサＰＳ２または第３計量チャンバＭ３の圧力センサＰＳ３に間違えて装着している場合等である。
以下第２計量チャンバＭＣ１、第３計量チャンバＭＣ３の装着ミスの意味についても同様である。
【００１７】
例えば第２計量チャンバＭＣ２の装着ミスの確認方法は、
〈１〉第２バルブＰＶ２を閉じて、第２ポンプＰＭ２を回転させて、第２回路Ｌ２の第２バルブＰＶ２と第２ポンプＰＭ２の間と、第２チャンバＭＣ２に陽圧または陰圧をかけるステップ、
〈２〉第２計量チャンバＭＣ２の圧力センサＰＳ２が反応し、陽圧または陰圧を検出するステップ。
〈３〉第２バルブＰＶ２を開放して、第２計量チャンバＭＣ２の第２圧力センサＰＳ２が反応して、圧力の低下または増加を検出した場合は、第２計量チャンバＭＣ２が正しい位置に装着されていることを確認するステップ、または
第２圧力センサＰＳ２以外の第１圧力センサＰＳ１または第３圧力センサＰＳ３が反応した場合は、第２計量チャンバＭＣ２の装着ミスであることを確認するステップ、
以上の〈１〉から〈３〉を含むステップにより部分容量計量チャンバの装着ミスを確認することができる。
【００１８】
例えば第３計量チャンバＭＣ３の装着ミスの確認方法は、
〈１〉第３バルブＰＶ３を閉じて、第３ポンプ３を回転させて、第３回路Ｌ３の第３バルブＰＶ３と第３ポンプＰＭ３の間と、第３チャンバＭＣ３に陽圧または陰圧をかけるステップ、
〈２〉第３計量チャンバＭＣ３の圧力センサＰＳ３が反応して陽圧または陰圧を検出し、第３バルブＰＶ３を開放するステップ、
〈３〉第３計量チャンバＭＣ３の第３圧力センサＰＳ３が反応して、圧力の低下または増加を検出した場合は、第３計量チャンバＭＣ３が正しい位置に装着されていることを確認するステップ、または
第３圧力センサＰＳ３以外の第１圧力センサＰＳ１または第２圧力センサＰＳ２が反応した場合は、第３計量チャンバＭＣ３の装着ミスであることを確認するステップ、
以上の〈１〉から〈３〉を含むステップにより部分容量計量チャンバの装着ミスを確認することができる。
【００１９】
前記血液浄化装置１において、第１、第２及び第３回路（Ｌ１、Ｌ２、Ｌ３）は、補液導入回路Ｌｆｒｉ、透析液導入回路Ｌｄｉ及びろ液送出回路Ｌｆｏのコンビネーションを採用することができる。  （例えば第１回路Ｌ１はろ液送出回路Ｌｆｏ、第２回路Ｌ２は透析液導入回路Ｌｄｉ、第３回路Ｌ３は補液導入回路Ｌｆｒｉ。）
または二つの補液導入回路Ｌｆｒｉとろ液送出回路Ｌｆｏ（例えば第１回路Ｌ１はろ液送出回路Ｌｆｏ、第２回路Ｌ２と第３回路Ｌ３は補液導入回路Ｌｆｒｉ。）または二つの補液導入回路Ｌｆｒｉと透析液導入回路Ｌｄｉ（例えば第１回路Ｌ１は透析液導入回路ｄｉ、第２回路Ｌ２と第３回路Ｌ３は補液導入回路Ｌｆｒｉ。）のコンビネーションを採用することができる。
前記各回路（Ｌｆｏ、Ｌｆｒｉ、Ｌｄｉ）に合わせて、第１、第２及び第３送液ポンプ（ＰＭ１、ＰＭ２、ＰＭ３）は、補液導入ポンプＰＭｆｒｉ、透析液導入ポンプＰＭｄｉ及びろ液送出ポンプＰＭｆｏのコンビネーションを採用することができる。
また二つの補液導入ポンプＰＭｆｒｉとろ液送出ポンプＰＭｆｏ、または二つの補液導入ポンプＰＭｆｒｉと透析液導入ポンプＰＭｄｉのコンビネーションを採用することができる。
【００２０】
同様に前記各回路（Ｌｆｏ、Ｌｆｒｉ、Ｌｄｉ）に合わせて、第１、第２及び第３圧力センサ（ＰＳ１、ＰＳ２、ＰＳ３）は、補液圧力センサＰＳｆｒｉ、透析液圧力センサＰＳｄｉ及びろ過圧圧力センサＰＳｆｏを採用することができる。
また二つの補液圧力センサＰＳｆｒｉとろ過圧圧力センサＰＳｆｏ、または二つの補液圧力センサＰＳｆｒｉと透析液圧力センサＰＳｄｉのコンビネーションを採用することができる。
同様に前記各回路（Ｌｆｏ、Ｌｆｒｉ、Ｌｄｉ）に合わせて、第１、第２及び第３計量チャンバ（ＭＣ１、ＭＣ２、ＭＣ３）は、補液計量チャンバＭＣｆｒｉ、透析液計量チャンバＭＣｄｉ及びろ液計量チャンバＭＣｆｏのコンビネーションを採用することができる。
または二つの補液計量チャンバＭＣｆｒｉとろ液計量チャンバＭＣｆｏ、または
二つの補液計量チャンバＭＣｆｒｉと透析液計量チャンバＭＣｄｉのコンビネーションを採用することができる。
【００２１】
次に図２の本発明を実施する血液浄化装置１０１［緩徐式血液ろ過透析装置に部分容量計量チャンバを設けて持続的血液浄化法（ＣＨＤＦ）に利用できるようにした実施例）の例について詳述する。
血液処理器ｂｔｒは、例えば円筒形のハウジングに、中空糸状または平膜状の分離膜（ろ過膜）ｈｆを収容したものである。
血液処理器ｂｔｒの分離膜ｈｆは、孔径が約０．００２〜０．０１μｍの膜であり、例えば、均質微孔膜、ミクロフィルトレーション膜、多孔質支持層と微孔構造層とからなる非対称膜である。
血液処理器ｂｔｒの分離膜ｈｆとして、各種の分離膜が知られているが、エチレンビニルアルコール（ＥＶＡ）系共重合体、セルロース誘導体、ＰＭＭＡ膜、ポリスルホン等からなる、生体親和性に優れる分離膜が好ましい。
【００２２】
血液処理器ｂｔｒに、血液導入部ＢＩ（シャント、注射針等の通常の採血器や貯血器等と連絡できる部分）から取り出された血液を血液処理器ｂｔｒに導入する血液導入回路Ｌｂｉが接続されており、この血液導入回路Ｌｂｉには、上流側から血液導入ポンプＰＭｂｉおよび血液ドリップチャンバＣｂｉが設けられている。血液導入部ＢＩと血液導入ポンプＰＭｂｉとの間に、血液導入バルブＰＶｂｉと陰圧ピローセンサＳｐｌが設けられている。    
血液は、血液導入部ＢＩから血液導入回路Ｌｂｉに導入された後、血液導入ポンプＰＭｂｉにより昇圧されて血液ドリップチャンバＣｂｉに入る。ついで、血液ドリップチャンバＣｂｉから滴下された血液は、血液処理器ｂｔｒの上端部（上流部）に設けられた血液入口ｂｉから導入される。導入された血液は、血液処理器ｂｔｒの中空糸膜ｈｆにより水分、老廃物、電解質等が分離されて清浄化される。
【００２３】
また、血液処理器ｂｔｒに、第１血液成分である清浄化血液を患者の体内に戻す返血液回路Ｌｂｔｒが接続されており、この返血液回路Ｌｂｔｒには、上流側から、返血液ドリップチャンバＣｂｔｒ、気泡センサＳＡ、返血液バルブＰＶｂｔｒとが設けられている。
清浄化された血液は、血液処理器ｂｔｒの下端部（下流部）に設けられた血液出口ｂｏから出て、返血液ドリップチャンバＣｂｔｒに入る。
ついで、返血液ドリップチャンバＣｂｔｒから滴下された清浄化血液は、開状態にされた返血液バルブＰＶｂｔｒを経て血液導出部ＢＯ（シャントや点滴セット等に連結できる部分）へ導入された後、患者の体内に戻される。
【００２４】
血液処理器ｂｔｒにおける血液入口ｂｉ近傍の側面には、水分、老廃物、電解質等を含む、第２血液成分であるろ液を血液処理器ｂｔｒから排出するろ液排出口ｆｏが設けられており、このろ液排出口ｆｏに、ろ液送出回路Ｌｆｏが接続されている。このろ液送出回路Ｌｆｏには、ろ液送出ポンプＰＭｆｏが設けられている。ろ液送出ポンプＰＭｆｏの下流にろ液送出バルブＰＶｆｏと漏血センサＳＢを設けている。      
一方、血液処理器ｂｔｒにおける血液出口ｂｏ近傍の側面には、透析液が流入する透析液入口ｄｉが設けられており、この透析液入口ｄｉに、透析液を血液処理器ｂｔｒに導入する透析液導入回路Ｌｄｉが接続されている。この透析液導入回路Ｌｄｉには、上流側から、透析液供給源ＤＬＳ、透析液導入用のポンプＰＭｄｉおよび加温器ＷＭが設けられている。
透析液供給源ＤＬＳから出た透析液は、透析液導入用のポンプＰＭｄｉにより昇圧されて、加温器ＷＭを経て血液処理器ｂｔｒの透析液入口ｄｉから血液処理器ｂｔｒに流入する。流入した透析液は、中空糸膜ｈｆに沿って流れ、つまり中空糸膜ｈｆの外側を流れ、透析液との濃度差および膜間圧力差に基づき中空糸膜ｈｆによりろ過されて膜外に出た水分、老廃物、電解質等を運び、ろ液としてろ液排出口ｆｏからろ液送出回路Ｌｆｏに流入する。この流入したろ液は、ろ液送出用のポンプＰＭｆｏにより昇圧されて系外に排出される。血液導入回路Ｌｂｉと返血液回路Ｌｂｔｒとろ液送出回路Ｌｆｏとで、血液回路が構成される。
【００２５】
さらに、血液処理器ｂｔｒのろ液排出口ｆｏおよび返血液ドリップチャンバＣｂｔｒ間で、補液を、血液出口ｂｏから出た清浄化血液に供給する補液導入回路Ｌｆｒｉが返血液回路Ｌｂｔｒｉに接続されている。この補液導入回路Ｌｆｒｉには、上流側から、補液導入ポンプＰＭｆｒｉ、加温器ＷＭおよび補液導入バルブＰＶｆｒｉが設けられている。
補液供給源ＦＲＳから出た補液は、補液導入ポンプＰＭｆｒｉにより昇圧されて、加温器ＷＭおよび補液導入バルブＰＶｆｒｉを経て返血液回路Ｌｂｔｒに流入し、清浄化された血液と合流する。合流した清浄化血液と補液は、返血液ドリップチャンバＣｂｔｒに入り、返血液バルブＰＶｂｔｒを経て血液導出部ＢＯから患者の体内に供給される。
加温器ＷＭおよび補液導入バルブＰＶｆｒｉの間で補液導入回路Ｌｆｒに、プライミング時に使用される洗浄液を系外に排出する洗浄液排出回路Ｌｗｏが接続されており、この洗浄液排出回路Ｌｗｏには、洗浄液排出バルブＰＶｗｏが設けられている。プライミング時には、使用された洗浄液は、開状態にされた洗浄液排出バルブＰＶｗｏを経て洗浄液排出口ｗｏから系外に排出される。
【００２６】
血液処理器ｂｔｒのろ液排出口ｆｏとろ液送出用のポンプＰＭｆｏの間で、エアラインＡＬｆｏがろ液送出回路Ｌｆｏに接続されており、このエアラインＡＬｆｏには、メンブレンフィルタ（図示せず）と、ろ液送出回路Ｌｆｏの圧力およびメンブレンフィルタにかかる圧力を検知する圧力センサＰＳｆｏとの接続口ＰＳｆｏ◎（ろ過圧Ｐｆｏ）と、空気の系外との連通および遮断を行うエアバルブ（図示せず）とが設けられている。エアラインＡＬｆｏの下流にはドレンポート（図示せず）が設けられている。
【００２７】
血液ドリップチャンバＣｂｉに、エアラインＡＬｂｉが接続されており、このエアラインＡＬｂｉには、メンブレンフィルタ（図示せず）と、血液ドリップチャンバＣｂｉ内に溜まった空気を介して血液導入回路Ｌｂｉ内の圧力およびメンブレンフィルタにかかる圧力を検知する圧力センサＰＳｂｉとの接続口ＰＳｂｉ◎（血液の入口圧Ｐｂｉ）と、空気の系外との連通および遮断を行うエアバルブ（図示せず）とが設けられている。一方、返血液ドリップチャンバＣｂｔｒに、エアラインＡＬｂｔｒが接続されており、このエアラインＡＬｂｔｒには、メンブレンフィルタ（図示せず）と、返血液ドリップチャンバＣｂｔｒ内に溜まった空気を介して返血液回路内Ｌｂｔｒの圧力を検出すると共に、メンブレンフィルタにかかる圧力を検知する圧力センサＰＳｂｔｒとの接続口ＰＳｂｔｒ◎（返血圧Ｐｂｔｒ）と、空気の系外との連通および遮断を行うエアバルブ（図示せず）とが設けられている。
エアバルブ（図示せず）は、エアライン（図示せず）、排出エアライン（図示せず）を介してエアポンプ（図示せず）に接続されていると共に、エアバルブ（図示せず）もエアラインＡＬｂｔｒ、排出エアライン（図示せず）を介してエアポンプ（図示せず）に接続されている。このエアポンプ（図示せず）は、エアバルブ（図示せず）およびエアバルブ（図示せず）、ドレンポート（図示せず）を介して回路内への空気の導入および回路からの空気の排出を行うことができるものである。
【００２８】
血液浄化装置１０１［図３（図２の一部拡大図）］を用いて本発明を実施する方法を説明する。
血液浄化装置１０１は、血液回路（血液導入回路Ｌｂｉと返血液回路Ｌｂｔｒとの間）内に血液を浄化する血液処理器ｂｔｒを設けている。
血液処理器ｂｔｒの透析液入口ｄｉに透析液を導入する透析液導入回路Ｌｄｉを接続し、当該透析液導入回路Ｌｄｉの途中に透析液導入ポンプＰＭｄｉと透析液導入バルブＰＶｄｉを設けている。
さらに透析液導入ポンプＰＭｄｉと透析液導入バルブＰＶｄｉとの間に、透析液計量チャンバＭＣｄｉを設け、当該透析液計量チャンバＭＣｄｉに透析液圧力センサＰＳｄｉを接続している。
さらに前記血液回路（返血液回路Ｌｂｔｒ）内に補液を導入する補液導入回路Ｌｆｒを接続している。
当該補液補液導入回路Ｌｆｒの途中に補液導入ポンプＰＭｆｒｉと補液導入バルブＰＶｆｒiを設けている。
さらに補液導入ポンプＰＭｆｒｉと補液導入バルブＰＶｆｒiとの間に、補液計量チャンバＭＣｆｒｉを設け、当該補液計量チャンバＭＣｆｒｉに補液圧力センサＰＳｆｒｉを接続している。
さらに血液処理器ｂｔｒのろ液排出口ｆｏに血液浄化を行った後のろ液排出回路Ｌｆｏを接続している。
当該ろ液排出回路Ｌｆｏの途中にろ液送出ポンプＰＭｆｏとろ液送出バルブＰＶｆｏを設けている。
さらにろ液送出用のポンプＰＭｆｏとろ液送出バルブＰＶｆｏの途中に、ろ液計量チャンバＭＣｆｏを設け、当該ろ液計量チャンバＭＣｆｏにろ液圧力センサＰＳｆｏを接続している。
血液浄化装置１０１は、各計量チャンバＭＣｆｒｉ、ＭＣｆｏ、ＭＣdiが正しい位置に装着されているか否かは、各計量チャンバＭＣｆｒｉ、ＭＣｆｏ、ＭＣｄｉを所定の位置に装着した時に、各センサＰＳｆｒｉ、ＰＳｆｏ、ＰＳｄｉが以下のように反応することにより確認できるようになっている。
【００２９】
例えば補液計量チャンバＭＣｆｒｉの装着ミスを確認する方法は、
〈１〉補液導入バルブＰＶｆｒｉを閉じて、補液導入ポンプＰｆｒｉを回転させて、補液導入回路Ｌｆｒｉの補液導入バルブＰＶｆｒｉと補液導入ポンプＰｆｒｉの間、及び補液計量チャンバＭＣｆｒｉに陽圧または陰圧をかけるステップ、
〈２〉補液圧力センサＰＳｆｒｉが反応して陽圧または陰圧を検出し、補液導入バルブＰＶｆｒｉを開放するステップ、
〈３〉補液圧力センサＰＳｆｒｉが反応して、圧力の低下または増加を検出した場合は、補液計量チャンバＭＣｆｒｉが正しい位置に装着されていることを確認するステップ、または
補液圧力センサＰＳｆｒｉ以外の透析液圧力センサＰＳｄｉまたはろ液圧力センサＰＳｆｏが反応した場合は、補液計量チャンバＭＣｆｒｉの装着ミスであることを確認するステップ、
以上の〈１〉から〈３〉を含むステップにより補液計量チャンバＭＣｆｒｉの装着ミスを確認することができる。
なお前記補液計量チャンバＭＣｆｒｉの装着ミスの意味について詳述すると、例えば補液導入回路Ｌｆｒｉが透析液導入バルブＰＶｄｉまたはろ液送出バルブＰＶｆｏへ間違えて装着している場合。
また補液計量チャンバの圧力センサＰＳｆｒｉに接続されるはずの補液導入回路Ｌｆｒｉが、透析液計量チャンバの圧力センサＰＳｄｉまたはろ液計量チャンバの圧力センサＰＳｆｏに間違えて装着している場合等である。
以下、ろ液圧力センサＰＳｆｏの装着ミス、透析液計量チャンバＭＣｄｉの装着ミスの意味も同様である。
【００３０】
例えば、ろ液圧力センサＰＳｆｏの装着ミスを確認する方法は、
〈１〉ろ液送出バルブＰＶｆｏを閉じて、ろ液送出ポンプＰＭｆｏを回転させて、ろ液送出回路Ｌｆｒｉのろ液送出バルブＰＶｆｏとろ液送出ポンプＰＭｆｏの間、及びろ液計量チャンバＭＣｆｏに陽圧または陰圧をかけるステップ、
〈２〉ろ液圧力センサＰＳｆｏが反応して陽圧または陰圧を検出し、ろ液送出バルブＰＶｆｏを開放するステップ、
〈３〉ろ液圧力センサＰＳｆｏが反応して、圧力の低下または増加を検出した場合は、ろ液計量チャンバＭＣｆｏが正しい位置に装着されていることを確認するステップ、または
ろ液圧力センサＰＳｆｏ以外の透析液圧力センサＰＳｄｉまたは補液圧力センサＰＳｆｒｉが反応した場合は、ろ液計量チャンバＭＣｆｏの装着ミスであることを確認するステップ、
以上の〈１〉から〈３〉を含むステップによりろ液計量チャンバＭＣｆｏの装着ミスを確認することができる。
【００３１】
例えば透析液計量チャンバＭＣｄｉの装着ミスを確認する方法は、
〈１〉透析液導入バルブＰＶｄｉを閉じて、透析液導入ポンプＰｄｉを回転させて、透析液導入回路Ｌｄｉの透析液導入バルブＰＶｄｉと透析液導入ポンプＰＭｄｉの間、及び透析液計量チャンバＭＣｄｉに陽圧または陰圧をかけるステップ、
〈２〉透析液圧力センサＰＳｄｉが反応して陽圧または陰圧を検出し、透析液導入バルブＰＶｄｉを開放するステップ、
〈３〉透析液圧力センサＰＳｄｉが反応して、圧力の低下または増加を検出した場合は、透析液計量チャンバＭＣｄｉが正しい位置に装着されていることを確認するステップ、または
透析液圧力センサＰＳｄ以外の補液圧力センサＰＳｄｉまたはろ液圧力センサＰＳｆｏが反応した場合は、透析液計量チャンバＭＣｄｉの装着ミスであることを確認するステップ、
以上の〈１〉から〈３〉を含むステップにより透析液計量チャンバＭＣｄｉの装着ミスを確認することができる。
【符号の説明】
【００３２】
１、１０１  血液浄化装置
２  ハウジング
２ＯＵＴ  外側
Ｌ    回路
Ｌ１  第１回路
Ｌ２  第２回路
Ｌ３  第２回路
ＭＣ  計量チャンバ
ＭＣ１  第１計量チャンバ
ＭＣ２  第２計量チャンバ
ＭＣ３  第３計量チャンバ
ＰＶ    送液バルブ
ＰＶ１  第１送液バルブ
ＰＶ２  第２送液バルブ
ＰＶ３  第３送液バルブ
Ｐ    送液ポンプ
ＰＭ１  第１送液ポンプ
ＰＭ２  第２送液ポンプ
ＰＭ３  第３送液ポンプ
ＰＳ    圧力センサ
ＰＳ１  第１圧力センサ
ＰＳ２  第２圧力センサ
ＰＳ３  第３圧力センサ
ｂｔｒ    血液処理器
ｈｆ    中空糸膜
ｂｉ    血液入口
ｂｏ    血液出口  
ｄｉ    透析液入口
ｆｏ    ろ液排出口
ＰＭ  送液ポンプ
ＰＭｂｉ    血液導入ポンプ
ＰＭｆｏ    ろ液送出ポンプ
ＰＭｆｒｉ  補液導入ポンプ
ＰＭｄｉ    透析液導入ポンプ
ＰＭＡ      エアポンプ
Ｌｂｉ      血液導入回路
Ｌｂｔｒ    返血液回路
Ｌｆｏ        ろ液送出回路
Ｌｄｉ        透析液導入回路
Ｌｆｒｉ      補液導入回路
Ｌｗｏ        洗浄液排出回路
Ｃｂｔｒ      返血液ドリップチャンバ
Ｃｂｉ        血液ドリップチャンバ
ＭＣ  計量チャンバ    
ＭＣｆｏ  ろ液計量チャンバ  
ＭＣｄｉ  透析液計量チャンバ  
ＭＣｆｒｉ  補液計量チャンバ  
ＰＶ        送液バルブ
ＰＶｂｉ    血液導入バルブ
ＰＶｆｒｉ  補液導入バルブ
ＰＶｗｏ    洗浄液排出バルブ
ＰＶｆｏ    ろ液送出バル
ＰＶｄｉ    透析液導入バルブ
ＰＶｂｔｒ  返血液バルブ
ＰＳ    圧力センサ
ＰＳｆ  ろ過圧圧力センサ（ろ過圧Ｐｆ）
ＰＳｂｉ血液入口圧圧力センサ（血液入口圧Ｐｂｉ ）
ＰＳｂｔｒ  返血圧力センサ（返血圧Ｐｂｒｔ）
ＰＳｆｏ  ろ液計量チャンバの圧力センサろ液圧力Ｐｆｏ）  
ＰＳｄｉ  透析液計量チャンバの圧力センサ（透析液圧力Ｐｄｉ）
ＰＳｆｒｉ補液計量チャンバの圧力センサ（補液圧力Ｐｆｒｉ）
ＢＩ  血液導入部
ＢＯ  血液導出部
ＤＬＳ  透析液供給源
ＦＲＳ  補液供給源
ＷＭ  加温器
ＡＬ            エアライン
ＡＬｆｏ        エアライン（ろ液送出回路と連通）        
ＡＬｂｉ        エアライン（血液導入回路と連通）
ＡＬｂｔｒ      エアライン（返血圧回路と連通）
Ｌａｂ  抗凝固剤注入ライン  
Ｆｃｐ  鉗子                
ＰＳｆ◎        ろ過圧圧力センサ（ろ過圧Ｐｆ）の接続口
ＰＳｂｉ◎      血液入口圧力センサ（血液入口圧Ｐｂｉ）の接続口
ＰＳｂｔｒ◎    返血圧力センサ（返血圧Ｐｂｒｔ）の接続口
ＰＳｆｏ◎      ろ液計量チャンバの圧力センサ（ろ液圧力Ｐｆｏ）の接続口  
ＰＳｄｉ◎      透析液計量チャンバの圧力センサ（透析液圧力Ｐｄｉ）の接続口
ＰＳｆｒｉ◎    補液計量チャンバの圧力センサ（補液圧力Ｐｆｒｉ）の接続口
ＳＡ      気泡センサ
ＳＢ      漏血センサ
Ｓｐｌ    陰圧ピローセンサ
【図１】
2018094051.tif 000003
【図２】
2018094051.tif 000004
【図３】
2018094051.tif 000005